Podtech/llm-jp-corpus-v4-ja_patent huggingface dataset:
【手続補正書】
【提出日】平成18年6月5日(2006.6.5)
【手続補正１】
【補正対象書類名】特許請求の範囲
【補正対象項目名】全文
【補正方法】変更
【補正の内容】
【特許請求の範囲】
【請求項１】
ネットワークシステムの部品の接地オフセットを検出する方法であって、特に、少なくとも１つのバスシステムにわたってデータが送受信されるネットワーク制御ユニット間で接地接触を検査する方法において、
［ａ］データを受信するために設けられた少なくとも１つのバスラインおよび／または少なくとも１つの受信ラインのアイドル状態において、予め定めることができる第１の時間が経過した後、この少なくとも１つのバスラインのレベル電圧が走査されるとともに、少なくとも１つの予め定めることができる限界値または基準電位値と前記レベル電圧とが比較され、
［ｂ］前記限界値または前記基準電位値を超えた場合には、少なくとも１つの接地エラー信号が形成され、
［ｃ］予め定めることができる前記第１の時間と同時に始まり且つ予め定めることができる前記第１の時間よりも長い、予め定めることができる第２の時間が経過するまで、
［ｃ１］少なくとも１つのバスラインまたは少なくとも１つの受信ラインのアイドル状態が依然として存在しているか、あるいは、
［ｃ２］少なくとも１つのバスラインまたは少なくとも１つの受信ラインのアイドル状態がもはや存在していないか、
に基づいて、前記接地エラー信号が認識され或いは認識されない、
方法。
【請求項２】
予め定めることができる前記第１の時間の終わりと、予め定めることができる前記第２の時間の終わりとの間の時間において、方法ステップ［ｂ］で生成された前記接地エラー信号（８２）が出力されることなくバッファリングされる、請求項１に記載の方法。
【請求項３】
−  方法ステップ［ｃ１］の場合には、予め定めることができる前記第２の時間が経過した後に、前記接地エラー信号が出力され、
−  方法ステップ［ｃ２］の場合には、予め定めることができる前記第２の時間が経過した後に、前記接地エラー信号が除去され或いはリセットされる、請求項２に記載の方法。
【請求項４】
予め定めることができる前記第１の時間および予め定めることができる前記第２の時間は、前記バスラインのビットレートに適合される、請求項１から３のいずれか一項に記載の方法。
【請求項５】
ネットワークシステムの部品の接地オフセットを検出するための回路構成であって、特に、少なくとも１つのバスシステムにわたってデータを送受信できるネットワーク制御ユニット間で接地接触をチェックするための回路構成において、
−  受信されたデータのために設けられ且つ少なくとも１つの受信ユニットに繋がる少なくとも１つのバスラインに対して割り当てられる少なくとも１つのコンパレータユニットであって、少なくとも１つの前記バスラインおよび／または前記受信ユニットの下流側に接続された少なくとも１つの受信ラインのアイドル状態において、少なくとも１つの第１のタイマユニットによって予め定めることができる第１の時間が経過した後、この少なくとも１つのバスラインのレベル電圧を走査できるるとともに、少なくとも１つの予め定めることができる限界値または基準電位値と前記レベル電圧とを比較器により比較することができる少なくとも１つのコンパレータユニットと、
−  前記第１のタイマユニットの下流側に接続されるとともに、前記限界値または前記基準電位値を超えた時に前記コンパレータユニットによって生成される少なくとも１つの接地エラー信号をバッファリングする少なくとも１つの第１のスイッチまたはトリガ素子と、
−  少なくとも１つの第２のタイマユニットの下流側に接続される少なくとも１つの第２のスイッチまたはトリガ素子であって、予め定めることができる前記第１の時間と同時に始まり且つ予め定めることができる前記第１の時間よりも長く持続するとともに前記第２のタイマユニットによって予め定めることができる第２の時間が経過するまで、少なくとも１つのバスラインまたは少なくとも１つの受信ラインのアイドル状態が依然として存在している場合において、前記接地エラー信号を取得し或いは送信する少なくとも１つの第２のスイッチまたはトリガ素子と、
を備えている、回路構成。
【請求項６】
−  少なくとも１つのＣＡＮＨ［ｉｇｈ］バスラインと少なくとも１つのＣＡＮＬ［ｏｗ］バスラインとを有するコントローラエリアネットワーク（ＣＡＮ）バスシステムとして前記バスシステムが設けられ、
−  前記受信ユニットの出力端子が前記第１のタイマユニットの入力端子および前記第２のタイマユニットの入力端子の両方に対して接続され、
−  前記第１のスイッチまたはトリガ素子は、第１のフリップフロップ素子として、特に、第１のD[elay]フリップフロップ素子として設けられ、
−  前記第２のスイッチまたはトリガ素子は、第２のフリップフロップ素子として、特に、第２のD[elay]フリップフロップ素子として設けられている、請求項５に記載の回路構成。
【請求項７】
−  前記第１のタイマユニットの出力端子は、前記第１のD[elay]フリップフロップ素子のクロック入力に接続され、
−  前記コンパレータユニットの出力端子は、前記第１のD[elay]フリップフロップ素子のＤ入力に接続され、
−  前記第２のタイマユニットの出力端子は、前記第２のD[elay]フリップフロップ素子のクロック入力に接続され、
−  前記第１のD[elay]フリップフロップ素子のＱ出力は、前記第２のD[elay]フリップフロップ素子のＤ入力に接続されている、請求項５または６に記載の回路構成。
【請求項８】
前記第２のタイマユニットは、前記第１のタイマユニットに対して並列に接続されている、請求項５から７のいずれか一項に記載の回路構成。
【請求項９】
−  前記第１のタイマユニットの遅延時間、および、
−  前記第２のタイマユニットの遅延時間を、前記バスラインのビットレートに適合させることができる、請求項５から８のいずれか一項に記載の回路構成。
【請求項１０】
ネットワークシステムの部品の接地オフセットを検出するための、特に、自動エレクトロニクスのネットワーク制御ユニット間、特に自動車のエレクトロニクスにおけるネットワーク制御ユニット間で接地接触を検査するための、請求項１から４のいずれか一項に記載の方法。
【手続補正２】
【補正対象書類名】明細書
【補正対象項目名】００３４
【補正方法】変更
【補正の内容】
【００３４】
【図１】本発明に係る回路構成における実施形態のブロック図。
【図２】第２のスイッチまたはトリガ素子の動作タイミング図。
【図３】第１のスイッチまたはトリガ素子の動作タイミング図。
【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
少なくとも通信ネットワークと、ユーザエンティティと、サーバエンティティと、を有するシステムであって、
前記ユーザエンティティが、
少なくとも一つの道程検索基準及び少なくとも一つのサービスを規定する手段と、
少なくとも前記道程検索基準及び前記サービスを有する道程検索リクエストを、前記通信ネットワークを介して前記サーバエンティティに送信する手段と、
前記通信ネットワークを介してレスポンスを受信する手段と、
前記レスポンスを示す手段と、を有し、
前記サーバエンティティが、
前記道程検索リクエストを受信する手段と、
移動データベースを用いることによって、前記道程検索基準から少なくとも一つの道程を計算する手段と、
サービスプロバイダのデータベースを用いることによって、前記サービスを提供し、前記計算された道程に対して少なくとも一つの近傍条件を満たす、少なくとも一つのプロバイダを選択する手段と、
前記選択されたプロバイダの位置測定により前記計算された道程を有するレスポンスを、前記通信ネットワークを介して前記ユーザエンティティに送信する手段と、を有するシステム。
【請求項２】
少なくとも一つの検索基準及び少なくとも一つのサービスを有する道程検索リクエストを受信する手段と、
移動データベースを用いることによって、前記検索基準から少なくとも一つの道程を計算する手段と、
サービスプロバイダのデータベースを用いることによって、前記サービスを提供し、前記計算された道程に対して少なくとも一つの近傍条件を満たす、少なくとも一つのプロバイダを選択する手段と、
前記選択されたプロバイダの位置測定により、前記計算された道程を有するレスポンスを送信する手段と、を有するサーバエンティティ。
【請求項３】
少なくとも一つの道程検索基準及び少なくとも一つのサービスを規定するステップと、
移動データベースを用いることによって、前記道程検索基準に応答する少なくとも一つの道程を計算するステップと、
サービスプロバイダのデータベースを用いることによって、前記サービスを提供し、前記計算された道程に対して少なくとも一つの近傍条件を満たす、少なくとも一つのプロバイダを選択するステップと、
前記選択されたプロバイダの位置測定により前記計算された道程を示すステップと、を有する検索方法。
【請求項４】
移動モードが前記道程検索基準として規定され、前記近傍条件が前記移動モードの関数として適応化される、請求項３に記載の検索方法。
【請求項５】
前記計算された道程が一つ又は複数のゾーンを横切り、各々の前記ゾーンがある一定のタイプから構成され、前記近傍条件が、前記横切られたゾーンのタイプの関数に従って適応化される、請求項３に記載の検索方法。
【請求項６】
前記サービスを規定する前記ステップが、前記道程の計算とは無関係に実行されることができ、前記規定されたサービスが、前記道程の計算時に使用される現在のリストに記憶されることを特徴とする、請求項３に記載の検索方法。
【請求項７】
プログラムがプロセッサによって実行される場合、請求項３に記載の道程検索方法を実施するための命令を含む当該プログラム。
【手続補正書】
【提出日】平成18年4月14日(2006.4.14)
【手続補正１】
【補正対象書類名】明細書
【補正対象項目名】００４６
【補正方法】変更
【補正の内容】
【００４６】
【図１】本発明に従う装置を実例として示す図である。
【図２】データ「レベル」の概念を実例として示す図である。
【図３】本発明の一実施形態に従う装置の断面を実例として示す図である。
【図４】本発明の一実施形態に従うスタイラスの位置検出の例を示す図である。
【手続補正書】
【提出日】平成17年8月30日(2005.8.30)
【手続補正１】
【補正対象書類名】明細書
【補正対象項目名】００２０
【補正方法】変更
【補正の内容】
【００２０】
図１に示されているシステムにおいては、ファイバホルダー２１、２２とウェルプレート１１の間には、付加的なレンズ又は光学部品が全く位置設定されていない。ファイバチップ２５からの光は、ウェル１２を満たす励起光の円錐形ビームを生成する。光円錐の発散はまた、ファイバ端部の特殊切断、研磨又は折曲げのいずれかによって制御又は修正可能である。任意的には、問題のウェルが隣接するウェル又は塵埃その他の汚染物質から何らかの漂遊励起又は発出光を受けないことをさらに保証するため、サンプルの上にマスク２６を位置づけすることができる。
【手続補正２】
【補正対象書類名】図面
【補正対象項目名】図１
【補正方法】変更
【補正の内容】
【図１】
2005529308.tif 000001
【手続補正書】
【提出日】平成18年1月6日(2006.1.6)
【手続補正１】
【補正対象書類名】特許請求の範囲
【補正対象項目名】全文
【補正方法】変更
【補正の内容】
【特許請求の範囲】
【請求項１】
少なくとも１個のバイオチップを含むバイオチップ・キットであって、前記バイオチップは少なくとも１個の反応器を有し、該反応器内では少なくともプローブ抗体及びプローブ抗原がランダムでないやり方でプローブアレイ及び／又はプローブパターンの形状で固定化される、バイオチップ・キット。
【請求項２】
前記プローブ抗体及びプローブ抗原に対応するリガンドと、該リガンドに結合する標識試薬とからなるマーカーを含み、前記リガンドは、特異的な抗原−抗体反応か、抗原アフィニティ及び／又は抗体アフィニティかを提供する、請求項１に記載のキット。
【請求項３】
前記マーカーは、
（Ａ）標識特異抗体及び標識特異抗原の組み合わせと、
（Ｂ）異なる構造特異性を有する標識抗−抗体の組み合わせと、
（Ｃ）種特異性を有する標識抗−抗体と、標識特異抗体及び／又は標識特異抗原との組み合わせと、
（Ｄ）構造特異性を有する標識抗−抗体と、標識特異抗体及び／又は標識特異抗原との組み合わせと、
（Ｅ）上記の組み合わせから派生するいずれかの組み合わせとのうちの１つである、請求項２に記載のキット。
【請求項４】
前記プローブ抗体はＢ型肝炎ウイルス表面抗原に対する抗体を含む、請求項１又は３に記載のキット。
【請求項５】
前記プローブ抗原は、ヒト免疫不全ウイルス抗原と、C型肝炎ウイルス抗原と、梅毒抗原とを含む、請求項４に記載のキット。
【請求項６】
前記プローブ抗体はB型肝炎ウイルスｅ抗原に対する抗体を含み、前記プローブ抗原は、Ｂ型肝炎コア抗原と、Ｂ型肝炎表面抗原と、Ｂ型肝炎ｅ抗原とを含む、B型肝炎ウイルス抗原／抗体を検出するキットである請求項４に記載のキット。
【請求項７】
前記プローブ抗原は、Ｃ型肝炎ウイルス抗原と、Ｇ型肝炎ウイルス抗原とを含む、肝炎ウイルス抗原／抗体を検出するキットである請求項４に記載のキット。
【請求項８】
前記プローブ抗体はＨＩＶｐ２４抗原に対する抗体を含み、前記プローブ抗原は、ＨＩＶｇｐ１６０と、ＨＩＶｇｐ４１と、ＨＩＶｇｐ３６とを含む、ＨＩＶ抗原／抗体を検出するキットである請求項１又は３に記載のキット。
【請求項９】
前記プローブ抗原はエプスタイン−バーウイルス（ＥＢＶ）抗原を含む、腫瘍関連抗原／抗体をテストするキットである請求項１又は３に記載のキット。
【請求項１０】
前記プローブ抗体は、ヒト絨毛膜性生殖腺刺激ホルモン（ＨＣＧ）に対する抗体と、腫瘍マーカー抗原５０（ＣＡ５０）に対する抗体と、糖鎖抗原２４２（ＣＡ２４２）に対する抗体と、乳癌特異抗原（ＣＡ１５３）に対する抗体と、癌胎児性抗原（ＣＥＡ）に対する抗体と、卵巣腫特異抗原（ＣＡ１２５）に対する抗体とを含む、請求項９に記載のキット。
【請求項１１】
バイオチップを用いて生物学的試料を分析する方法であって、
（１）前記生物学的試料を請求項１ないし１０のいずれか１つのバイオチップの反応器に供して反応を起こさせること、
（２）別々か、部分的な混合物か、完全な混合物かの形状で、マーカー用試薬を前記反応器に供すること、及び
（３）前記反応の後で、前記反応器内の結果を分析することを含む、バイオチップを用いて生物学的試料を分析する方法。
【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
電子顕微鏡で使用するための標本エンクロージャアッセンブリであって、
アパーチャを有し、覆われた標本配置用の体積領域を画定する、標本エンクロージャと、
前記アパーチャのところで前記標本エンクロージャアッセンブリ外部の体積領域から前記標本配置用体積領域を密封する、電子ビーム透過性で流体不透過性のカバーと、
前記覆われた標本配置用の体積領域と連通し、該覆われた標本配置用の体積領域を所定の圧力に維持するように構成されている、圧力コントローラと、
を備え、
前記所定の圧力は、前記標本配置用体積領域内の標本の蒸気圧力を超え、前記標本エンクロージャアッセンブリの外部の体積領域の圧力よりも大きく、前記カバーに亘る圧力差が、該カバーの破裂が発生する閾値レベルを超えないようにされている、標本エンクロージャアッセンブリ。
【請求項２】
前記標本エンクロージャは、剛性の標本エンクロージャ皿部である、請求項１に記載の標本エンクロージャアッセンブリ。
【請求項３】
前記圧力コントローラは、前記覆われた標本配置用の体積領域と連通する通路を備える、請求項１又は２に記載の標本エンクロージャアッセンブリ。
【請求項４】
前記通路は、管腔を有する導管を備え、該管腔の断面は前記所定の圧力を維持するのに十分に小さく、該所定の圧力は、前記標本配置用体積領域内の前記標本の前記蒸気圧力を超え、前記標本エンクロージャアッセンブリの外部の体積領域の圧力よりも大きい、請求項３に記載の標本エンクロージャアッセンブリ。
【請求項５】
前記導管は、チューブである、請求項４に記載の標本エンクロージャアッセンブリ。
【請求項６】
前記導管の前記管腔は、５０乃至１５０マイクロメートルの範囲の直径を有する円形断面を有する、請求項４又は５に記載の標本エンクロージャアッセンブリ。
【請求項７】
前記導管は、流体リザーバーと連通している、請求項４乃至６のいずれか１項に記載の標本エンクロージャアッセンブリ。
【請求項８】
前記流体リザーバーは、前記導管と流体連通している少なくとも１つの流体通路を備える、請求項７に記載の標本エンクロージャアッセンブリ。
【請求項９】
前記流体リザーバーの前記流体通路は、少なくとも１つのチューブを備える、請求項８に記載の標本エンクロージャアッセンブリ。
【請求項１０】
前記流体リザーバー内に形成された前記圧力コントローラは、管腔を有する導管を備え、該管腔の断面は所定の圧力を維持するのに十分に小さく、該所定の圧力は、前記標本配置用体積領域内の前記標本の前記蒸気圧力を超え、前記標本エンクロージャアッセンブリ及び前記流体リザーバーの外部の体積領域の前記圧力よりも大きい、請求項８又は９に記載の標本エンクロージャアッセンブリ。
【請求項１１】
前記覆われた標本配置用の体積領域から流体の供給及び除去を可能にする、流体流出入アッセンブリを更に備える、請求項１乃至１０のいずれか１項に記載の標本エンクロージャアッセンブリ。
【請求項１２】
前記流体流出入アッセンブリは、少なくとも１つの導管を備える、請求項１１に記載の標本エンクロージャアッセンブリ。
【請求項１３】
前記流体流出入アッセンブリの前記少なくとも１つの導管は、少なくとも１つのチューブを備える、請求項１２に記載の標本エンクロージャアッセンブリ。
【請求項１４】
電子顕微鏡で使用するための標本エンクロージャアッセンブリを構成する方法であって、
アパーチャを有し、覆われた標本配置用の体積領域を画定する、標本エンクロージャを設け、
前記標本配置用体積領域から前記アパーチャを密封するため電子ビーム透過性で流体不透過性のカバーを前記アパーチャのところで前記標本配置用体積領域に取り付け、
前記覆われた標本配置用の体積領域と連通し、該覆われた標本配置用の体積領域を所定の圧力に維持するように構成される圧力コントローラであって、該所定の圧力は、前記標本配置用体積領域内の標本の蒸気圧力を超え、前記標本エンクロージャアッセンブリの外部の体積領域の圧力よりも大きく、前記カバーに亘る圧力差が、該カバーの破裂が発生する閾値レベルを超えないようにされる、前記圧力コントローラを設ける、各工程を備える方法。
【請求項１５】
前記圧力コントローラを設ける前記工程は、前記標本エンクロージャアッセンブリ内に、該標本エンクロージャアッセンブリの外部の前記体積と連通する通路を形成する工程を備える、請求項１４に記載の方法。
【請求項１６】
前記圧力コントローラを設ける前記工程は、前記通路に管腔を有する導管を密封式に取り付ける工程を備え、該管腔の断面は前記所定の圧力を維持するのに十分に小さく、該所定の圧力は、前記標本配置用体積領域内の前記標本の前記蒸気圧力を超え、前記標本エンクロージャアッセンブリの外部の体積領域の圧力よりも大きい、請求項１５に記載の方法。
【請求項１７】
前記導管は、少なくとも１つのチューブを備える、請求項１６に記載の方法。
【請求項１８】
前記導管の前記管腔は、５０乃至１５０マイクロメートルの範囲の直径を有する円形断面を有する、請求項１６又は１７に記載の方法。
【請求項１９】
前記標本エンクロージャアッセンブリと流体連通する流体リザーバーを設ける工程を更に備える、請求項１６乃至１８のいずれか１項に記載の方法。
【請求項２０】
前記流体リザーバーは、前記導管と流体連通している少なくとも１つの流体通路を備える、請求項１９に記載の方法。
【請求項２１】
前記流体リザーバーの前記流体通路は、少なくとも１つのチューブを備える、請求項２０に記載の方法。
【請求項２２】
前記流体リザーバー内に形成された前記圧力コントローラは、管腔を有する導管を備え、該管腔の断面は所定の圧力を維持するのに十分に小さく、該所定の圧力は、前記標本配置用体積領域内の前記標本の前記蒸気圧力を超え、前記標本エンクロージャアッセンブリ及び前記流体リザーバーの外部の体積領域の前記圧力よりも大きい、請求項２０又は２１に記載の方法。
【請求項２３】
前記流体リザーバーに形成された前記通路は、５０乃至１５０マイクロメートルの範囲の直径を有する円形断面を有するチューブを更に備える、請求項２０乃至２２のいずれか１項に記載の方法。
【請求項２４】
前記覆われた標本配置用の体積領域から流体の供給及び除去を可能にするため、該覆われた標本配置用の体積領域と連通する流体流出入アッセンブリを設ける工程を更に備える、請求項１４乃至２３のいずれか１項に記載の方法。
【請求項２５】
前記流体流出入アッセンブリは、少なくとも１つの導管を備える、請求項２４に記載の方法。
【請求項２６】
前記流体流出入アッセンブリの前記少なくとも１つの導管は、前記標本配置用体積領域と連通する少なくとも２つのチューブを備える、請求項２５に記載の方法。
【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
粒子のインピーダンス測定のために混合チャンバと収集チャンバとの間の粒子の通過のためのオリフィスを含むポリマー膜によって分離された混合チャンバおよび収集チャンバを有するハウジングを備え、オリフィスの長軸に沿ったオリフィス径の偏差が±１％〜±10％の範囲内であり、これによりオリフィスの中心部に実質的に均質な電界が提供される、液体中に懸濁された粒子を特徴付けるためのインピーダンス細胞採寸装置。
【請求項２】
オリフィスが膜の一方の側に丸められたエッジを有し、これによりオリフィス進入口での電界の乱れが最小になり、そしてオリフィスの中心部に実質的に均質な電界が提供される請求項１に記載のインピーダンス細胞採寸装置。
【請求項３】
丸められたエッジの曲率半径がオリフィス径の1/4に実質的に等しい請求項２に記載のインピーダンス細胞採寸装置。
【請求項４】
オリフィスの内部表面の表面粗さが０μm〜５μmの範囲であり、これによりオリフィスの中心部に実質的に均質な電界が提供され得る請求項１〜３のいずれかに記載のインピーダンス細胞採寸装置。
【請求項５】
丸め込みの外側のオリフィス径が10μm〜1000μmの範囲である等しい請求項１〜４のいずれかに記載のインピーダンス細胞採寸装置。
【請求項６】
丸め込みの外側のオリフィス径が５μm〜200μmの範囲である請求項１〜５のいずれかに記載のインピーダンス細胞採寸装置。
【請求項７】
オリフィスの長さが１μm〜1000μmの範囲である請求項１〜６のいずれかに記載のインピーダンス細胞採寸装置。
【請求項８】
膜が単回使用カートリッジに位置する請求項１〜７のいずれかに記載のインピーダンス細胞採寸装置。
【請求項９】
液体サンプルの進入用にハウジングの外部表面に穴をさらに備え、
穴が、液体サンプルをサンプリングするためにハウジング内に位置しそして液体サンプルを受容および保持するための空洞を有するサンプリング部材と連通し、該部材が、第１の位置で、空洞への液体サンプルの進入のために空洞が穴と連通状態にあり、第２の位置で、混合チャンバへの液体サンプルの放出のために空洞が混合チャンバと連通状態にあるような方法で、ハウジングとの関係で移動可能に位置する請求項１〜８のいずれかに記載のインピーダンス細胞採寸装置。
【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
交換可能な構成部品を有する楽器において、
前記楽器に構造的支持を与えるためのコア部分、及び
前記コア部分に着脱可能に取り付けることができるボディ部分
を備えることを特徴とする楽器。
【請求項２】
前記ボディ部分が単一の構成部品からなることを特徴とする請求項１に記載の楽器。
【請求項３】
前記ボディ部分が複数の構成部品からなることを特徴とする請求項１に記載の楽器。
【請求項４】
前記ボディ部分が第１の区画及び第２の区画を有することを特徴とする請求項１に記載の楽器。
【請求項５】
前記第１の区画が第１の溝を有し、前記第２の区画が第２の溝を有することを特徴とする請求項４に記載の楽器。
【請求項６】
前記第１の溝または前記第２の溝内に配置された、前記楽器の共鳴を変えるための少なくとも１つの構造体をさらに備えることを特徴とする請求項５に記載の楽器。
【請求項７】
前記楽器の共鳴を変えるための前記少なくとも１つの構造体がリブであることを特徴とする請求項５に記載の楽器。
【請求項８】
前記リブが前記楽器の外部に露出していることを特徴とする請求項７に記載の楽器。
【請求項９】
前記ボディ部分が前記楽器の共鳴特性を変えることを特徴とする請求項１に記載の楽器。
【請求項１０】
前記ボディ部分が前記楽器の音色を変えることを特徴とする請求項１に記載の楽器。
【請求項１１】
前記リブが前記楽器の共鳴特性を変えることを特徴とする請求項７に記載の楽器。
【請求項１２】
前記リブが前記楽器の音色を変えることを特徴とする請求項７に記載の楽器。
【請求項１３】
前記コア部分が単一の構成部品で形成されていることを特徴とする請求項１に記載の楽器。
【請求項１４】
前記コア部分が複数の構成部品で形成されていることを特徴とする請求項１に記載の楽器。
【請求項１５】
前記コア部分が電子回路／部品を備えることを特徴とする請求項１に記載の楽器。
【請求項１６】
前記ボディ部分が固定具で前記コア部分に取り付けられることを特徴とする請求項１に記載の楽器。
【請求項１７】
前記ボディ部分が中実であることを特徴とする請求項１に記載の楽器。
【請求項１８】
前記ボディ部分が中空であることを特徴とする請求項１に記載の楽器。
【請求項１９】
前記ボディ部分が半中空であることを特徴とする請求項１に記載の楽器。
【請求項２０】
前記ボディ部分が末端開放型であることを特徴とする請求項１に記載の楽器。
【請求項２１】
前記ボディ部分が末端密閉型であることを特徴とする請求項１に記載の楽器。
【請求項２２】
前記ボディ部分が、木材、金属、プラスチック、カーボンファイバおよび複合材からなる群より選択される材料でつくられていることを特徴とする請求項１に記載の楽器。
【請求項２３】
前記コア部分が、木材、金属、プラスチック、カーボンファイバおよび複合材からなる群より選択される材料でつくられていることを特徴とする請求項１に記載の楽器。
【請求項２４】
前記楽器が、弦楽器、木管楽器、金管楽器、打楽器およびギターからなる群より選択される楽器であることを特徴とする請求項１に記載の楽器。
【請求項２５】
前記ボディ部分がギターのボディであることを特徴とする請求項１に記載の楽器。
【請求項２６】
前記コア部分がギターのネックであることを特徴とする請求項１に記載の楽器。
【請求項２７】
前記ボディ部分が着脱可能に前記コア部分に取り付けられることを特徴とする請求項１に記載の楽器。
【請求項２８】
弦楽器において、ネック部分及びボディ部分を備え、前記ボディ部分が前記ネック部分に着脱可能に取り付けることができることを特徴とする弦楽器。
【請求項２９】
前記ボディ部分が単一の構成部品を備えることを特徴とする請求項２８に記載の弦楽器。
【請求項３０】
前記ボディ部分が複数の構成部品を備えることを特徴とする請求項２８に記載の弦楽器。
【請求項３１】
前記ボディ部分が第１の区画及び第２の区画を有することを特徴とする請求項２８に記載の弦楽器。
【請求項３２】
前記弦楽器がギターであることを特徴とする請求項２８に記載の弦楽器。
【請求項３３】
前記ボディ部分が前記ネック部分に着脱可能に取り付けられることを特徴とする請求項２８に記載の弦楽器。
【請求項３４】
交換可能な構成部品を有する楽器の作成方法において、前記楽器を構造的に支持するためのコア部分を提供する工程、前記コア部分に着脱可能に取り付けることができるボディ部分を提供する工程、及び前記ボディ部分を前記コア部分に取り付ける工程を含むことを特徴とする方法。
【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
組織に材料を取り付けるための外科用タックであって、以下：
その外側表面に形成される駆動ネジ山を有するヘッド；
該ヘッドからのびるテーパ状のバレル部分であって、その外側表面に形成される組織係合ネジ山を有するバレル部分；および
該ヘッドおよび該テーパ状のバレル部分を通ってのびる通しボアであって、非環状の断面を有する該通しボア、
を備える、外科用タック。
【請求項２】
前記通しボアが、Ｄ形状の断面を有する、請求項１に記載の外科用タック。
【手続補正書】
【提出日】平成18年6月5日(2006.6.5)
【手続補正１】
【補正対象書類名】特許請求の範囲
【補正対象項目名】請求項１
【補正方法】変更
【補正の内容】
【請求項１】
止血材を収容できるように形成されたチャンバーを画定している送達管であって、近位端および遠位端を有する前記送達管と、
血管創傷近傍の前記送達管の前記遠位端に位置するように形成された装置と、
少なくとも一部が前記送達管の前記近位端に適合するように形成された遠位端を有するプッシャーメンバーであって、前記送達管の少なくとも一部分の直径より大きな直径を有する部分を備えたプッシャーメンバーとを備え、
前記プッシャーメンバーおよび前記送達管は、前記プッシャーメンバーが前記送達管に関して遠位に動かされるように形成され、前記プッシャーメンバーは、止血材がチャンバーから出るように少なくとも１つの開口が作られるために、前記送達管と係合しおよび前記送達管を変形させる血管創傷閉鎖アセンブリー。
【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
コーピングが事前に取り付けられておらず、解剖学的に歯に類似していることを特徴とする補綴用歯科支台歯プラスチックコーピング。
【請求項２】
コーピングが回転可能であるように取り付けられていることを特徴とする、請求項１に記載の補綴用歯科支台歯プラスチックコーピング。
【請求項３】
コーピングが歯科補綴物または事前に形成した歯に類似していることを特徴とする、請求項１に記載の補綴用歯科支台歯プラスチックコーピング。
【請求項４】
コーピングが３６０度の自由度で回転可能であるように取り付けられていることを特徴とする、請求項２に記載の補綴用歯科支台歯プラスチックコーピング。
【請求項５】
コーピングが、支台歯とのスナップフィットを形成し、歯のプレパレーションの作製中に回転方向の力に耐えるように構成されていることを特徴とする、請求項１に記載の補綴用歯科支台歯プラスチックコーピング。
【請求項６】
コーピングが大臼歯、小臼歯、犬歯または切歯のいずれかに類似していることを特徴とする、請求項１に記載の補綴用歯科支台歯プラスチックコーピング。
【請求項７】
コーピングが「バーンアウト」プラスチックまたはワックス材料を含んでいることを特徴とする、請求項１に記載の補綴用歯科支台歯プラスチックコーピング。
【請求項８】
プラスチック材料がＬＥＸＡＮ  １４１Ｒであることを特徴とする、請求項７に記載の補綴用歯科支台歯プラスチックコーピング。
【請求項９】
請求項１に記載の補綴用歯科プラスチックコーピングと事前取り付けでないかみ合いを形成するように構成されている歯科支台歯。
【請求項１０】
支台歯が、コーピングと回転可能なフィットを形成していることを特徴とする、請求項９に記載の歯科支台歯。
【請求項１１】
プレパレーション中にコーピングと安定なリトレーニング結合を形成するための手段が支台歯に設けられていることを特徴とする、請求項９に記載の歯科支台歯。
【請求項１２】
コーピングがさらに、支台歯と安定なリトレーニング結合を形成するための対応する手段を備えていることを特徴とする、請求項９に記載の歯科支台歯。
【請求項１３】
安定なリトレーニング結合が、互いにかみ合うように環状の凹部と環状のリップを備えていることを特徴とする、請求項９に記載の歯科支台歯。
【請求項１４】
安定なリトレーニング結合が、環状のリップが設けられている支台歯と、環状の凹部が設けられているコーピングを備えていることを特徴とする、請求項１３に記載の歯科支台歯。
【請求項１５】
支台歯に環状の凹部が設けられており、コーピングに環状のリップが設けられていることを特徴とする、請求項１３に記載の歯科支台歯。
【請求項１６】
移行歯肉辺縁部として含んでいることを特徴とする、請求項１に記載の補綴用歯科支台歯プラスチックコーピング。
【請求項１７】
支台歯には、解剖学的高さ、エマージェンスプロファイルおよび角度が設けられていることを特徴とする、請求項１に記載の補綴用歯科支台歯プラスチックコーピング。
【請求項１８】
支台歯の材料が金属であることを特徴とする、請求項９に記載の歯科支台歯。
【請求項１９】
金属がＡｕ、ＴｉまたはＣｏＣｒ合金のいずれかであることを特徴とする、請求項１８に記載の歯科支台歯。
【請求項２０】
支台歯の材料がプラスチック材料であることを特徴とする、請求項９に記載の歯科支台歯。
【請求項２１】
支台歯が、コーピングとの非回転または回転フィッティング用に構成されていることを特徴とする、請求項９に記載の歯科支台歯。
【請求項２２】
コーピングとの接続が、ネジ、スナップ−オンまたは摩擦の１つ以上の形態によることを特徴とする、請求項９に記載の歯科支台歯。
【請求項２３】
歯科支台歯および請求項１に記載の補綴用歯科支台歯プラスチックコーピングを含んでいる歯科排列。
【請求項２４】
請求項１に記載のコーピングの少なくとも１つの選択を含んでいるパーツのキット。
【請求項２５】
コーピングが大臼歯、小臼歯、犬歯および切歯の各々の少なくとも１つから選択されおよび／または各々の少なくとも１つを含んでいることを特徴とする、請求項２４に記載のキット。
【請求項２６】
１つ以上の歯科支台歯および／または１つ以上の歯科インプラントも含んでいることを特徴とする、請求項２４に記載のキット。
【請求項２７】
複数のコーピングと複数の支台歯を含んでいることを特徴とする、請求項２４に記載のキット。
【請求項２８】
複数の解剖学的コーピング（適切なブランク）および／またはスパーに含まれる器具を備えていることを特徴とする、請求項２４に記載のキット。
【請求項２９】
インプラント接続幾何学的構成あたり各サイズにつき複数のコーピングを備えていることを特徴とする、請求項２４に記載のキット。
【請求項３０】
請求項２４に記載のキットの用途を含む歯科補綴物を作製する方法。
【請求項３１】
コーピングおよび支台歯が、再建対象の歯の維持形状となるように個別に作製可能であることを特徴とする、請求項３０に記載の方法。
【請求項３２】
レーザー溶接または接着によって、作製されたコーピングおよび結合を金属支台歯にキャスティングするステップを含むことを特徴とする、請求項３０に記載の方法。
【請求項３３】
金属ベースにキャストを結合するために接着剤の使用を含み、キャストが貴金属または非貴金属製であることを特徴とする、請求項３２に記載の方法。
【請求項３４】
コーピングが、いくつかの好適な解剖学的形状のコーピングと共にキットに供給される、アクリルまたは他のバーン−アウト材料製であることを特徴とする、請求項３０に記載の方法。
【請求項３５】
コーピングが、「バーン−アウト」プラスチックまたはワックス材料製であり、補綴物が、キャストに鋳造される支台歯を含むロスト−ワックス技法を使用して作製されることを特徴とする、請求項３０に記載の方法。
【請求項３６】
コーピングおよび／または支台歯は、安定なリトレーニング結合が互いにかみ合うように環状の凹部と環状のリップを備え、環状リップは、歯科用バーまたは同様のツールを使用してまたは摩擦ブラストによって離脱され得るまたは実質的に離脱され得ることを含んでいる特徴とする、請求項３０に記載の方法。
【請求項３７】
コーピングおよび／または支台歯は、安定なリトレーニング結合が剥離によって離脱され得る接着（スコッチ）テープを備えることを含んでいることを特徴とする、請求項３０に記載の方法。
【請求項３８】
コーピングおよび／または支台歯は、安定なリトレーニング結合が既存の既知の方法を使用して離脱され得る塗料を備えることを含んでいることを特徴とする、請求項３０に記載の方法。
【請求項３９】
解剖学的に歯に類似し、歯科支台歯および補綴物を含む単一のキャストを作製するステップを含む歯科補綴物を作製する方法。
【請求項４０】
貴金属または非貴金属製のキャストをベースに結合するために接着剤の使用を含む歯科補綴物を作成する方法。
【請求項４１】
ベースが金属ベースである、請求項４０に記載の方法。
【請求項４２】
ベースがプラスチックベースである、請求項４０に記載の方法。
【請求項４３】
ベースがセラミックまたはセラミック混合ベースである、請求項４０に記載の方法。
【手続補正書】
【提出日】平成18年3月8日(2006.3.8)
【手続補正１】
【補正対象書類名】特許請求の範囲
【補正対象項目名】全文
【補正方法】変更
【補正の内容】
【特許請求の範囲】
【請求項１】
通路を有するバッカルチューブと；
フォースモジュール；
前記フォースモジュールを前記バッカルチューブに接続する連結器であって、第１の部分及び第２の部分とを有する本体を備える連結器と；を備える歯科矯正用アセンブリにおいて、
前記第１の部分と前記第２の部分は互いに近づくこと、および互いから離れることができ；前記第２の部分が前記通路に受容され、前記本体を前記バッカルチューブと接触した状態に、解放可能に保持するように、前記第１の部分の方向に弾性的に付勢されている；
歯科矯正用アセンブリ。
【手続補正書】
【提出日】平成18年6月12日(2006.6.12)
【手続補正１】
【補正対象書類名】特許請求の範囲
【補正対象項目名】請求項１１
【補正方法】変更
【補正の内容】
【請求項１１】
請求項１０記載の方法によって得られ得る、α−Ｈ−α−アミノ酸アミドラセマーゼ活性を示す微生物。
【手続補正２】
【補正対象書類名】特許請求の範囲
【補正対象項目名】請求項１４
【補正方法】変更
【補正の内容】
【請求項１４】
請求項１３記載の方法によって得られ得る、α−Ｈ−α−アミノ酸アミドラセマーゼ活性を有するポリペプチドをコードする核酸配列。
【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
予定された長さの二本鎖RNA分子（ｄｓRNA）のライブラリーを生産するためのDNAライブラリーであって、そのライブラリーは二本鎖DNA分子（ｄｓDNA）よりなり、それぞれのｄｓRNAは両鎖と隣接してプロモーターをコードする伸長と、生産すべきｄｓRNAをコードする１０から３０塩基対のｄｓRNAコード配列と、転写終結配列を含み、それぞれのプロモーターは一方の鎖の終結配列と相補的な配列を含むよう変異されているDNAライブラリー。
【請求項２】
そのプロモーターが、AAAAA伸長をプロモーターの末端で、転写開始サイトの直後に取り込むよう変異されたH1プロモーターまたはU6プロモーターである請求項１のDNAライブラリー。
【請求項３】
ｄｓRNAをコードする配列が４から全ての間の位置でランダマイズされた、請求項１或いは２のDNAライブラリー。
【請求項４】
生産されるｄｓRNAが一の末端に一本鎖領域を有するｄｓRNAである、請求項１から３のいずれかに記載のDNAライブラリー。
【請求項５】
生産されるｄｓRNAが両末端に一本鎖領域を有するｄｓRNAである、請求項１から３のいずれかに記載のDNAライブラリー。
【請求項６】
ｄｓRNAの少なくとも１の一本鎖領域が、poly U突出端である請求項４または５に記載のDNAライブラリー。
【請求項７】
ｄｓRNAの少なくとも１の一本鎖領域が、UU突出端である請求項４または５に記載のDNAライブラリー。
【請求項８】
プラスミドベクター中に構築される請求項１から７のいずれかに記載のDNAライブラリー。
【請求項９】
ウィルスベクター中に構築される請求項１から７のいずれかに記載のDNAライブラリー。
【請求項１０】
請求項１から９いずれかに記載のDNAライブラリーであって、ランダムなDNAオリゴヌクレオチドを、そのランダムなDNAオリゴヌクレオチドがベクターにクローニングされる前に、細胞、細胞株、組織または器官を含むソースからのトータルRNA調製またはトータルmRNA調製とのハイブリダイゼーションを行い、ソースRNA(またはｍRNA)とハイブリダイズするオリゴヌクレオチドのみをベクターへクローニングするころとにより、セレクションすることによって、ライブラリーのランダムさが修飾されている、DNAライブラリー。
【請求項１１】
請求項１から１０のいずれかに記載のDNAライブラリーを含むキット。
【請求項１２】
請求項１から１０のいずれかに記載のDNAライブラリーから得られるRNAライブラリー。
【請求項１３】
請求項１から１０のいずれかのDNAライブラリーを使用する方法で、そのライブラリーが一過的または恒常的に細胞中に混合物として導入される方法。
【請求項１４】
生物的機能を有する二本鎖RNAをスクリーニングする方法で、請求項１から１０のいずれかに記載のDNAライブラリーまたは請求項１２に記載のRNAライブラリーの使用を含む方法。
【請求項１５】
新規遺伝子をスクリーニングする方法で、請求項１から１０に記載のDNAライブラリーまたは請求項１２に記載のRNAライブラリーの使用を含む方法。
【請求項１６】
請求項１から１０のいずれかに記載のDNAライブラリーにおける個々のDNAメンバー。
【請求項１７】
請求項１２に記載のRNAライブラリーにおける個々のRNAメンバー。
【請求項１８】
ｄｓRNA分子の生産において、 (N)nが１９、２０または２１のヌクレオチドのランダマイズされた領域である、AAAAA（N）n TTTTTなるDNA配列を有するDNA分子の使用。
【請求項１９】
プロモーターの末端で転写開始位置のすぐ前にAAAAA伸長を有するように変異したH1-RNAポリメラーゼIIIプロモーター。
【請求項２０】
それぞれがもう一方のプロモーターの転写終結配列を埋め込んだ２つの変異RNAポリメラーゼIIIプロモータと、それらのプロモーターの間にsiRNAをコードする領域とを有するプラスミド。
【請求項２１】
プロモーターの端で転写開始位置のすぐ前にAAAAA伸長を有するように任意に変異したポリメラーゼIIIプロモーター。
【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
微生物細胞を低温殺菌する方法であって、40℃〜70℃を含む温度で、30分未満の間又は0.5℃/分より早い速度で細胞を加熱する工程を含むことを特徴とする方法。
【請求項２】
微生物細胞を低温殺菌する方法であって、以下の３つの段階、
１）（第一の）加熱段階、
２）（第二の）プラトー段階（この段階で前記細胞が、一定の温度で維持される。）、及び
３）（第三の）冷却段階、
を含むことを特徴とする方法。
【請求項３】
微生物細胞を低温殺菌する方法であって、時間（分）対温度（℃）のグラフの下の領域が、13000℃・分以下となる、低温殺菌プロトコルを使用して前記細胞を加熱する工程を含むことを特徴とする方法。
【請求項４】
微生物細胞を低温殺菌する方法であって、前記細胞を加熱し、また昇温(T,℃)で、所定の時間(t,分)、積tTが140〜100800℃・分のプラトー段階で、前記細胞を維持する工程を含むことを特徴とする方法。
【請求項５】
(a)前記プラトーが最大温度であり、
(b)時間(t)対温度(T)のグラフにおける低温殺菌プロトコルの形状が、台形であり、
(c)加熱及び/又は冷却が、直線であり、及び/又は
(d)前記細胞が、40℃以下から始まる温度で加熱され及び/又は70℃以上の温度に加熱され、及び/又は
(e)前記細胞が、PUFA又はPUFAを含有する微生物油を含むか、又は産生する、
請求項２又は４に記載の方法。
【請求項６】
前記微生物細胞が、40℃〜70℃で、15分以下加熱され及び/又は前記細胞が、少なくとも0.6又は1.0℃/分の速度で加熱される請求項１〜５のいずれか１項に記載の方法。
【請求項７】
(a)前記微生物細胞が、少なくとも2℃/分の速度で加熱され、
(b)前記低温殺菌（又はプラトー）温度が、70〜100℃、好ましくは70〜85℃であり、
(c)前記細胞が、少なくとも-0.6又は-1.6℃/分の速度で冷却され、及び/又は
(d)時間（分）対温度（℃）のグラフ下の領域が、10000又は8000℃・分以下である、
請求項１〜６のいずれか１項に記載の方法。
【請求項８】
PUFA又は微生物油を微生物細胞から得る方法であって、請求項１〜７のいずれか１項に記載の細胞を低温殺菌し、またPUFA又は微生物油を低温殺菌された細胞から抽出又は単離する工程を含むことを特徴とする方法。
【請求項９】
微生物油であって、少なくとも90%のトリグリセリド含有量、1.5（又は1.0）未満の過酸化物価(POV)及び/又は15未満のアニシジン値(AnV)を有することを特徴とする微生物油。
【請求項１０】
前記アニシジン値(AnV)が、１２未満である請求項９に記載の微生物油。
【請求項１１】
(a)前記PUFAが、C18、C20又はC22Ω-3又はΩ-6脂肪酸を含み、
(b)前記PUFA含有量が、少なくとも40%であり、
(c)前記PUFAが、アラキドン酸(ARA)、エイコサペンタエン酸(EPA)及び/又はドコサヘキサエン酸(DHA)、及び/又は
(d)前記油が、粗又は精製されてない油である、
請求項９に記載の油。
【手続補正書】
【提出日】平成18年4月14日(2006.4.14)
【手続補正１】
【補正対象書類名】特許請求の範囲
【補正対象項目名】全文
【補正方法】変更
【補正の内容】
【特許請求の範囲】
【請求項１】
剛性タブ部材と関連の可撓性タブキャリア基材とを有するタブ部分を含み、前記剛性タブ部材が外端部と内端部とを有し、前記内端部は少なくとも１つのリップ部分を形成し、前記タブ部材は、少なくとも一部がタブキャリア基材も形成する少なくとも１つの可撓性基材ウェブにラミネートされた剛性タブ基材により形成されており、この可撓性ウェブ層は１つの面にあり、そこでタブキャリア基材と剛性タブ部材が連続しており、タブキャリア基材と剛性タブ部材は同一面上にあり、前記同一面タブキャリア基材から離れるように旋回できるように、前記リップ部分が前記タブキャリア基材から分離されている、スロットおよびタブクロージャシステムに用いられるファスニングタブラミネート。
【請求項２】
前記少なくとも１つの可撓性基材ウェブが多孔性ウェブである、請求項１に記載のファスニングタブラミネート。
【請求項３】
前記少なくとも１つの可撓性基材ウェブが不織繊維状ウェブである、請求項２に記載のファスニングタブラミネート。
【請求項４】
前記剛性タブ基材が熱可塑性ポリマー材料である、請求項２に記載のファスニングタブラミネート。
【請求項５】
前記剛性タブ基材熱可塑性材料が前記可撓性基材ウェブの前記多孔性構造に少なくとも部分的に浸透している、請求項４に記載のファスニングタブラミネート。
【請求項６】
少なくとも１つの可撓性基材ウェブが前記タブ部材に取り付けられて少なくとも２５％の前記タブ部材を覆うように延在している、請求項５に記載のファスニングタブラミネート。
【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
レーザービームで患者の眼の角膜を処理する方法であって、
処理領域にわたって、前記角膜の表面と、前記レーザービームとの間の角度をマッピングする工程、
前記マッピングした角度に応答して、前記処理領域にわたって、局所的な切除プロパティを決定する工程、
第二の仮想形状を形成するように、第一の仮想形状を調節することによって、前記切除プロパティを使用して処理計画を式化する工程であって、前記第一の仮想形状が、所望の形状を形成するように、前記領域から除去される物質の深さを表し、前記第二の仮想形状が、前記マッピングされた角度に応答して、前記第一の仮想形状から形成される、ところの工程、及び
前記表面に前記所望の形状を形成するように、前記処理計画に従って、前記処理領域を切除する工程、
を含む方法。
【請求項２】
請求項１の方法であって、
前記レーザービームが、前記眼の光軸と実質的に平行である、
ところの方法。
【請求項３】
請求項１の方法であって、
前記マッピングされた領域が、前記角膜の頂点を含み、
前記角膜の頂点が、前記眼の瞳孔の中心と異なる位置に位置する、
ところの方法。
【請求項４】
請求項３の方法であって、
前記所望の形状が、中心を有し、
前記所望の形状の前記中心が、前記眼の前記瞳孔の前記中心と一直線に合わせられる、
ところの方法。
【請求項５】
請求項１の方法であって、
前記第二の仮想形状の深さが、前記第一の仮想形状の深さよりも大きい、
ところの方法。
【請求項６】
請求項１の方法であって、
前記第二の仮想形状の深さが、前記第一の仮想形状の深さよりも小さい、
ところの方法。
【請求項７】
請求項１の方法であって、
前記所望の形状が、前記眼の収差測定、前記眼の屈折測定及び前記眼の形状測定から選択される測定結果に少なくとも部分的に基づいたものである、
ところの方法。
【請求項８】
レーザービームで患者の眼の角膜を処理するためのシステムであって、
切除光エネルギーのビームを放射するレーザー、及び
処理領域にわたり前記角膜の表面と前記レーザービームとの間の角度をマッピングするコンピュータプログラムを有し、前記角度に応答して、前記角膜の局所的な切除プロパティを決定する少なくとも一つのプロセッサであって、前記少なくとも一つのプロセッサが、前記局所的な切除プロパティに応答して、切除処理を制御するコンピュータプログラムを有し、前記少なくとも一つのプロセッサが、第一の仮想形状及び第二の仮想形状を形成し、前記第一の仮想形状が、所望の形状を形成するように、前記領域から除去される物質の深さを表し、前記第二の仮想形状が、前記マッピングされた角度に応答して、前記第一の仮想形状から形成され、前記処理によって、前記表面に前記所望の形状が形成される、ところのプロセッサ、
を含むシステム。
【請求項９】
請求項８のシステムであって、
前記レーザービームの角度が、前記眼の光軸と実質的に平行である、
ところのシステム。
【請求項１０】
請求項８のシステムであって、
前記マッピングされた領域が、前記角膜の頂点を含み、
前記角膜の頂点が、前記眼の瞳孔の中心と異なる位置に位置する、
ところのシステム。
【請求項１１】
請求項１０のシステムであって、
前記所望の形状が、中心を有し、
前記所望の形状の中心が、前記眼の前記瞳孔の中心と一直線に合わせられる、
ところのシステム。
【請求項１２】
請求項８のシステムであって、
前記第二の仮想形状の深さが、前記第一の仮想形状の深さよりも大きい、
ところのシステム。
【請求項１３】
請求項８のシステムであって、
前記第二の仮想形状の深さが、前記第一の仮想形状の深さよりも小さい、
ところのシステム。
【請求項１４】
請求項８のシステムであって、
前記所望の形状が、前記眼の収差測定、前記眼の屈折測定及び前記眼の形状測定から選択される測定結果に少なくとも部分的に基づいたものである、
ところのシステム。
【請求項１５】
レーザービームで眼の角膜を処理するためのシステムであって、
切除光エネルギーを放射するレーザー、及び
処理領域にわたり、湾曲した表面とレーザービームとの間の局所的な角度を決定するコンピュータプログラムを有する少なくとも一つのプロセッサであって、前記少なくとも一つのプロセッサが、前記局所的な角度に応答して、切除処理を制御するコンピュータプログラムを有し、前記少なくとも一つのプロセッサが、第一の仮想形状及び第二の仮想形状を形成し、前記第一の仮想形状が、所望の形状を形成するように、前記領域から除去される物質の深さを表し、前記第二の仮想形状が、前記マッピングされた角度に応答して、前記第一の仮想形状から形成され、前記処理によって、前記表面に前記所望の形状が形成される、ところのプロセッサ、
を含むシステム。
【請求項１６】
請求項１５のシステムであって、
前記少なくとも一つのプロセッサが、前記局所的な角度に応答して、前記角膜の局所的な切除プロパティを決定する、
ところのシステム。
【請求項１７】
請求項１６のシステムであって、
前記レーザービームの角度が、前記眼の光軸に実質的に平行である、
ところのシステム。
【請求項１８】
請求項１６のシステムであって、
前記マッピングされた領域が、前記角膜の頂点を有し、
前記角膜の頂点が、前記眼の瞳孔の中心と異なる位置に位置する、
ところのシステム。
【請求項１９】
請求項１８のシステムであって、
前記所望の形状が、中心を有し、
前記所望の形状の中心が、前記眼の前記瞳孔の前記中心と一直線に合わせられる、
ところのシステム。
【請求項２０】
請求項１５のシステムであって、
前記第二の仮想形状の深さが、前記第一の仮想形状の深さよりも大きい、
ところのシステム。
【請求項２１】
請求項１５のシステムであって、
前記第二の仮想形状の深さが、前記第一の仮想形状の深さよりも小さい、
ところのシステム。
【請求項２２】
請求項１６のシステムであって、
前記所望の形状が、前記眼の収差測定、前記眼の屈折測定及び前記眼の形状測定から選択される測定結果に少なくとも部分的に基づいたものである、
ところのシステム。